(57)【要約】【課題】除湿運転時に、圧縮機、室外熱交換器、減圧器、第１室内熱交換器、除湿弁、及び第２室内熱交換器の順で冷媒が循環する空気調和機において、除湿運転時、除湿弁が閉塞状態のまま連続運転されることを防止する。【解決手段】制御部４は、除湿運転時に、冷媒を膨張弁１４で減圧せず第２膨張弁（除湿弁）１６で減圧する除湿運転制御を実行する。そして、制御部４は、除湿運転制御中に、吐出温度Ｔｄと凝縮温度Ｔｃとの差が所定値以上という閉塞判定条件を満足したとき、第２膨張弁が閉塞していると判定する。【選択図】図２
2010091127.tif 000002
【特許請求の範囲】
【請求項１】
圧縮機（１１）、室外熱交換器（１３）、第１減圧器（１４）、第１室内熱交換器（１５）、第２減圧器（１６）及び第２室内熱交換器（１７）の順で冷媒が循環する蒸気圧縮式冷凍サイクルを利用する空気調和機であって、
前記圧縮機（１１）の吐出管に取り付けられ冷媒の吐出温度を検出する吐出管温度センサ（１１１）と、
前記室外熱交換器（１３）に取り付けられ冷媒の凝縮温度を検出する室外熱交換器温度センサ（１１３）と、
前記室外熱交換器（１３）に送風する室外ファン（２３）と、
除湿運転時に、冷媒を前記第２減圧器（１６）で減圧する除湿運転制御を実行する制御部（４）と、
を備え、
前記制御部（４）は、前記除湿運転制御中に、前記吐出温度と前記凝縮温度との差が所定値以上という閉塞判定条件を満足したとき、前記第２減圧器（１６）が閉塞していると判定する、
空気調和機（１）。
【請求項２】
圧縮機（１１）、室外熱交換器（１３）、第１減圧器（１４）、第１室内熱交換器（１５）、第２減圧器（１６）及び第２室内熱交換器（１７）の順で冷媒が循環する蒸気圧縮式冷凍サイクルを利用する空気調和機であって、
前記圧縮機（１１）の吐出管に取り付けられ冷媒の吐出温度を検出する吐出管温度センサ（１１１）と、
前記室外熱交換器（１３）に取り付けられ冷媒の凝縮温度を検出する室外熱交換器温度センサ（１１３）と、
前記室外熱交換器（１３）に送風する室外ファン（２３）と、
除湿運転時に、冷媒を前記第２減圧器（１６）で減圧する除湿運転制御を実行する制御部（４）と、
を備え、
前記制御部（４）は、前記除湿運転制御中に、前記吐出温度と前記凝縮温度との差の変化割合が所定値以上という閉塞判定条件を満足したとき、前記第２減圧器（１６）が閉塞していると判定する、
空気調和機（１）。
【請求項３】
前記制御部（４）は、前記除湿運転制御中に、前記室外ファン（２３）の回転数が上昇したときを起点として前記吐出温度と前記凝縮温度との差の変化割合が所定値以上という閉塞判定条件を満足したとき、前記第２減圧器（１６）が閉塞していると判定する、
請求項２に記載の空気調和機（１）。
【請求項４】
圧縮機（１１）、室外熱交換器（１３）、第１減圧器（１４）、第１室内熱交換器（１５）、第２減圧器（１６）及び第２室内熱交換器（１７）の順で冷媒が循環する蒸気圧縮式冷凍サイクルを利用する空気調和機であって、
前記圧縮機（１１）の吐出管に取り付けられ冷媒の吐出温度を検出する吐出管温度センサ（１１１）と、
前記室外熱交換器（１３）に取り付けられ冷媒の凝縮温度を検出する室外熱交換器温度センサ（１１３）と、
前記室外熱交換器（１３）に送風する室外ファン（２３）と、
除湿運転時に、冷媒を前記第２減圧器（１６）で減圧する除湿運転制御を実行する制御部（４）と、
を備え、
前記制御部（４）は、前記除湿運転制御中に、前記吐出温度の変化割合が所定値以上という閉塞判定条件を満足したとき、前記第２減圧器（１６）が閉塞していると判定する、
空気調和機（１）。
【請求項５】
前記制御部（４）は、前記除湿運転制御中に、前記室外ファン（２３）の回転数が上昇したときを起点として前記吐出温度の変化割合が所定値以上という閉塞判定条件を満足したとき、前記第２減圧器（１６）が閉塞していると判定する、
請求項４に記載の空気調和機（１）。
【請求項６】
請求項１から請求項５のいずれか１項に記載の空気調和機であって、
室内温度を検出する室内温度センサ（１０３）と、
前記第２室内熱交換器（１７）に取り付けられ冷媒の蒸発温度を検出する室内熱交換器温度センサ（１１７）と、
をさらに備え、
前記制御部（４）は、前記除湿運転制御中に、前記閉塞判定条件が満たされ、且つ前記室内温度と前記蒸発温度との差が所定値以下になったとき、前記第２減圧器（１６）が閉塞していると判定する、
空気調和機（１）。
【請求項７】
請求項１から請求項５のいずれか１項に記載の空気調和機であって、
室外温度を検出する室外温度センサ（１０２）をさらに備え、
前記制御部（４）は、前記除湿運転制御中に、前記閉塞判定条件が満たされ、且つ前記凝縮温度と前記室外温度との差が所定値以下になったとき、前記第２減圧器（１６）が閉塞していると判定する、
空気調和機（１）。
【請求項８】
請求項１から請求項５のいずれか１項に記載の空気調和機であって、
前記制御部（４）は、前記除湿運転制御中に、前記閉塞判定条件が満たされ、且つ前記圧縮機（１１）への入力値が所定値以下になったとき、前記第２減圧器（１６）が閉塞していると判定する、
空気調和機（１）。
【請求項９】
請求項１から請求項５のいずれか１項に記載の空気調和機であって、
室内温度を検出する室内温度センサ（１０３）と、
前記第２室内熱交換器（１７）に取り付けられ冷媒の蒸発温度を検出する室内熱交換器温度センサ（１１７）と、
室外温度を検出する室外温度センサ（１０２）と、
をさらに備え、
前記制御部（４）は、前記除湿運転制御中に、前記閉塞判定条件が満たされ、且つ前記室内温度と前記蒸発温度との差が所定値以下になり、且つ前記凝縮温度と前記室外温度との差が所定値以下になったとき、前記第２減圧器（１６）が閉塞していると判定する、
空気調和機（１）。
【請求項１０】
請求項１から請求項５のいずれか１項に記載の空気調和機であって、
室内温度を検出する室内温度センサ（１０３）と、
前記第２室内熱交換器（１７）に取り付けられ冷媒の蒸発温度を検出する室内熱交換器温度センサ（１１７）と、
をさらに備え、
前記制御部（４）は、前記除湿運転制御中に、前記閉塞判定条件が満たされ、且つ前記室内温度と前記蒸発温度との差が所定値以下になり、且つ前記圧縮機（１１）への入力値が所定値以下になったとき、前記第２減圧器（１６）が閉塞していると判定する、
空気調和機（１）。
【請求項１１】
請求項１から請求項５のいずれか１項に記載の空気調和機であって、
室外温度を検出する室外温度センサ（１０２）をさらに備え、
前記制御部（４）は、前記除湿運転制御中に、前記閉塞判定条件が満たされ、且つ前記凝縮温度と前記室外温度との差が所定値以下になり、且つ前記圧縮機（１１）への入力値が所定値以下になったとき、前記第２減圧器（１６）が閉塞していると判定する、
空気調和機（１）。
【請求項１２】
請求項１から請求項５のいずれか１項に記載の空気調和機であって、
室内温度を検出する室内温度センサ（１０３）と、
前記第２室内熱交換器（１７）に取り付けられ冷媒の蒸発温度を検出する室内熱交換器温度センサ（１１７）と、
室外温度を検出する室外温度センサ（１０２）と、
をさらに備え、
前記制御部（４）は、前記除湿運転制御中に、前記閉塞判定条件が満たされ、且つ前記室内温度と前記蒸発温度との差が所定値以下になり、且つ前記凝縮温度と前記室外温度との差が所定値以下になり、且つ前記圧縮機（１１）への入力値が所定値以下になったとき、前記第２減圧器（１６）が閉塞していると判定する、
空気調和機（１）。
【請求項１３】
前記制御部（４）は、前記第２減圧器（１６）が閉塞していると判定したとき、前記吐出管温度と前記凝縮温度との差が所定値未満になるまで、前記室外ファン（２３）の送風量を下げる、
請求項１から請求項１２のいずれか１項に記載の空気調和機（１）。
【請求項１４】
前記制御部（４）は、
前記室外ファン（２３）の送風量を下げてから第１所定時間が経過したとき、前記吐出管温度と前記凝縮温度との差が所定値未満でない場合は前記圧縮機（１１）を停止させ、
前記圧縮機（１１）が停止してから第２所定時間が経過したとき前記圧縮機（１１）を再起動させる、
請求項１３に記載の空気調和機（１）。
【請求項１５】
前記制御部（４）は、
前記室内温度、前記室外温度および前記室外ファン（２３）の送風量から前記第２減圧器（１６）が閉塞しやすい状態か否かを判定し、
前記第２減圧器（１６）が閉塞しやすい状態ではないときに、前記閉塞判定条件が満たされた場合は、前記第２減圧器（１６）の異常と判定する、
請求項１から請求項１２のいずれか１項に記載の空気調和機（１）。
【発明の詳細な説明】
【技術分野】
【０００１】
本発明は、空気調和機に関する。
【背景技術】
【０００２】
除湿運転時に、圧縮機、室外熱交換器、減圧器、第１室内熱交換器、除湿弁、及び第２室内熱交換器の順で冷媒が循環する冷媒回路では、室外ファン風量が上昇したとき、室外熱交換器で凝縮が進み、冷媒回路内のガス冷媒が増加する。さらに、室温が高いときは、第１室内熱交換器での冷媒蒸発が発生し易く、ガス冷媒が増加する。その結果、除湿弁が閉塞状態になる可能性が高く、その場合、冷媒循環による圧縮機モータの冷却が行なわれない、或は、除湿運転が正常に行われないことがある。
【０００３】
上記の問題に対応するために、圧縮機入力電流、室内温度と蒸発温度の差、又は凝縮温度と外気温度の差が所定値よりも小さいときに、圧縮機運転を所定時間停止してから再運転する技術が開示されている（例えば、特許文献１）。
【０００４】
しかしながら、圧縮機入力電流が所定値よりも小さいときの検出方法では、運転周波数が低い場合は誤検出の恐れがあるので、閉塞検出のために運転周波数を誤検出がない運転周波数まで増加させる必要がある。そのため、消費電力が余分にかかり、室内温度・湿度制御と反する動作を所定時間行わなければならない。
【０００５】
また、室内温度と蒸発温度の差が所定値よりも小さいときの検出方法では、蒸発温度の取付位置によっては、誤検出する恐れがある。閉塞状態のときであっても、冷媒が全くながれていないことはなく、除湿弁を通過した直後の第２室内熱交換器の上流側の温度は、ある程度低い温度を検出しており、下流になるに従って、室温に近い温度になっている。通常、熱交換器のセンサ取付位置は冷房、暖房、除湿のモードを考慮して決定され、第２室内熱交換器の入口に取り付けることが多く存在する。そのため、除湿時の室内温度と蒸発温度の差による閉塞状態の検出は困難であり、誤検出を防止して検出の精度を高めるために、室温や外気温度、室外風量などの運転状況によって、室内温度と蒸発温度の差の閾値を調整し、検出時間を長くして慎重に判定をしなければならなくなる。
【０００６】
また、凝縮温度と外気温度の差が所定値よりも小さいときの検出方法は、凝縮温度の取付位置によっては、誤検出する恐れがある。閉塞状態のときであっても、凝縮温度はある程度高い温度を検出しており、下流になるに従って、外気温度に近い温度になっている。通常、熱交換器のセンサ取付位置は冷房、暖房、除湿のモードを考慮して決定され、室外熱交換器の入口に取り付けることが多く存在する。このことより、除湿時の室内温度と蒸発温度の差による閉塞状態の検出は困難であり、誤検出を防止して検出の精度を高めるために、室温や外気温度、室外風量などの運転状況によって、凝縮温度と外気温度の差の閾値を調整し、検出時間を長くして慎重に判定をしなければならなくなる。さらに、上記従来技術では、閉塞状態が検出されたとき、圧縮機が所定時間停止され、所定時間後、再運転されているので、正常状態に戻るまでに時間がかかっている。
【特許文献１】特開２０００−２５７９８４号公報
【発明の開示】
【発明が解決しようとする課題】
【０００７】
本発明の課題は、除湿運転時、除湿弁が閉塞状態のまま連続運転されることを防止した空気調和機を提供することにある。
【０００８】
第１発明に係る空気調和機は、圧縮機、室外熱交換器、第１減圧器、第１室内熱交換器、第２減圧器及び第２室内熱交換器の順で冷媒が循環する蒸気圧縮式冷凍サイクルを利用する空気調和機であって、吐出管温度センサと、室外熱交換器温度センサと、室外ファンと、制御部とを備えている。吐出管温度センサは、圧縮機の吐出管に取り付けられ冷媒の吐出温度を検出する。室外熱交換器温度センサは、室外熱交換器に取り付けられ冷媒の凝縮温度を検出する。室外ファンは、室外熱交換器に送風する。制御部は、除湿運転時に、冷媒を第２減圧器で減圧する除湿運転制御を実行する。そして、制御部は、除湿運転制御中に、吐出温度と凝縮温度との差が所定値以上という閉塞判定条件を満足したとき、第２減圧器が閉塞していると判定する。
【０００９】
第２発明に係る空気調和機は、圧縮機、室外熱交換器、第１減圧器、第１室内熱交換器、第２減圧器及び第２室内熱交換器の順で冷媒が循環する蒸気圧縮式冷凍サイクルを利用する空気調和機であって、吐出管温度センサと、室外熱交換器温度センサと、室外ファンと、制御部とを備えている。吐出管温度センサは、圧縮機の吐出管に取り付けられ冷媒の吐出温度を検出する。室外熱交換器温度センサは、室外熱交換器に取り付けられ冷媒の凝縮温度を検出する。室外ファンは、室外熱交換器に送風する。制御部は、除湿運転時に、冷媒を第２減圧器で減圧する除湿運転制御を実行する。そして、制御部は、除湿運転制御中に、吐出温度と凝縮温度との差の変化割合が所定値以上という閉塞判定条件を満足したとき、第２減圧器が閉塞していると判定する。
【００１０】
第３発明に係る空気調和機は、第２発明に係る空気調和機であって、制御部が、除湿運転制御中に、室外ファンの回転数が上昇したときを起点として吐出温度と凝縮温度との差の変化割合が所定値以上という閉塞判定条件を満足したとき、第２減圧器が閉塞していると判定する。
【００１１】
第４発明に係る空気調和機は、圧縮機、室外熱交換器、第１減圧器、第１室内熱交換器、第２減圧器及び第２室内熱交換器の順で冷媒が循環する蒸気圧縮式冷凍サイクルを利用する空気調和機であって、吐出管温度センサと、室外熱交換器温度センサと、室外ファンと、制御部とを備えている。吐出管温度センサは、圧縮機の吐出管に取り付けられ冷媒の吐出温度を検出する。室外熱交換器温度センサは、室外熱交換器に取り付けられ冷媒の凝縮温度を検出する。室外ファンは、室外熱交換器に送風する。制御部は、除湿運転時に、冷媒を第２減圧器で減圧する除湿運転制御を実行する。そして、制御部は、除湿運転制御中に、吐出温度の変化割合が所定値以上という閉塞判定条件を満足したとき、第２減圧器が閉塞していると判定する。
【００１２】
第５発明に係る空気調和機は、第４発明に係る空気調和機であって、制御部が、除湿運転制御中に、室外ファンの回転数が上昇したときを起点として吐出温度の変化割合が所定値以上という閉塞判定条件を満足したとき、第２減圧器が閉塞していると判定する。
【００１３】
第６発明に係る空気調和機は、第１発明から第５発明のいずれか１つに係る空気調和機であって、室内温度センサと、室内熱交換器温度センサとをさらに備えている。室内温度センサは、室内温度を検出する。室内熱交換器温度センサは、第２室内熱交換器に取り付けられ冷媒の蒸発温度を検出する。そして、制御部は、除湿運転制御中に、閉塞判定条件が満たされ、且つ前記室内温度と前記蒸発温度との差が所定値以下になったとき、第２減圧器が閉塞していると判定する。
【００１４】
第７発明に係る空気調和機は、第１発明から第５発明のいずれか１つに係る空気調和機であって、室外温度を検出する室外温度センサをさらに備えている。制御部は、除湿運転制御中に、閉塞判定条件が満たされ、且つ前記凝縮温度と前記室外温度との差が所定値以下になったとき、第２減圧器が閉塞していると判定する。
【００１５】
第８発明に係る空気調和機は、第１発明から第５発明のいずれか１つに係る空気調和機であって、制御部は、除湿運転制御中に、閉塞判定条件が満たされ、且つ前記圧縮機への入力値が所定値以下になったとき、第２減圧器が閉塞していると判定する。
【００１６】
第９発明に係る空気調和機は、第１発明から第５発明のいずれか１つに係る空気調和機であって、室内温度センサと、室内熱交換器温度センサと、室外温度センサとをさらに備えている。室内温度センサは、室内温度を検出する。室内熱交換器温度センサは、第２室内熱交換器に取り付けられ冷媒の蒸発温度を検出する。室外温度センサは、室外温度を検出する。制御部は、除湿運転制御中に、閉塞判定条件が満たされ、且つ前記室内温度と前記蒸発温度との差が所定値以下になり、且つ前記凝縮温度と前記室外温度との差が所定値以下になったとき、第２減圧器が閉塞していると判定する。
【００１７】
第１０発明に係る空気調和機は、第１発明から第５発明のいずれか１つに係る空気調和機であって、室内温度センサと、室内熱交換器温度センサとをさらに備えている。室内温度センサは、室内温度を検出する。室内熱交換器温度センサは、第２室内熱交換器に取り付けられ冷媒の蒸発温度を検出する。制御部は、除湿運転制御中に、閉塞判定条件が満たされ、且つ前記室内温度と前記蒸発温度との差が所定値以下になり、且つ圧縮機への入力値が所定値以下になったとき、第２減圧器が閉塞していると判定する。
【００１８】
第１１発明に係る空気調和機は、第１発明から第５発明のいずれか１つに係る空気調和機であって、室外温度を検出する室外温度センサをさらに備えている。制御部は、除湿運転制御中に、閉塞判定条件が満たされ、且つ凝縮温度と室外温度との差が所定値以下になり、且つ圧縮機への入力値が所定値以下になったとき、第２減圧器が閉塞していると判定する。
【００１９】
第１２発明に係る空気調和機は、第１発明から第５発明のいずれか１つに係る空気調和機であって、室内温度センサと、室内熱交換器温度センサと、室外温度センサとをさらに備えている。室内温度センサは、室内温度を検出する。室内熱交換器温度センサは、第２室内熱交換器に取り付けられ冷媒の蒸発温度を検出する。室外温度センサは、室外温度を検出する。制御部は、除湿運転制御中に、閉塞判定条件が満たされ、且つ室内温度と蒸発温度との差が所定値以下になり、且つ凝縮温度と室外温度との差が所定値以下になり、且つ圧縮機への入力値が所定値以下になったとき、第２減圧器が閉塞していると判定する。
【００２０】
第１３発明に係る空気調和機は、第１発明から第１２発明のいずれか１つに係る空気調和機であって、制御部が、第２減圧器が閉塞していると判定したとき、吐出管温度と凝縮温度との差が所定値未満になるまで、室外ファンの送風量を下げる。
【００２１】
第１４発明に係る空気調和機は、第１３発明に係る空気調和機であって、制御部が、室外ファンの送風量を下げてから第１所定時間が経過したとき吐出管温度と凝縮温度との差が所定値未満でない場合は圧縮機を停止させ、圧縮機が停止してから第２所定時間が経過したとき圧縮機を再起動させる。
【００２２】
第１５発明に係る空気調和機は、第１発明から第１２発明のいずれか１つに係る空気調和機であって、制御部が、室内温度、室外温度および室外ファンの送風量から第２減圧器が閉塞しやすい状態か否かを判定し、第２減圧器が閉塞しやすい状態ではないときに、閉塞判定条件が満たされた場合は、第２減圧器の異常と判定する。
【発明の効果】
【００２３】
第１発明から第１２発明のいずれか１つに係る空気調和機では、第２減圧器の閉塞状態の検出精度が増すことによって、誤検出による不要な制御命令（例えば、運転停止命令）の実行が防止される。
【００２４】
第１３発明に係る空気調和機では、運転停止することなく第２減圧器の閉塞状態を解消することができるので、より早く設定湿度へ近づけることができる。
【００２５】
第１４発明に係る空気調和機では、第２減圧器が閉塞したとき、送風量低減による閉塞状態解消方法と、圧縮機停止による閉塞状態解消方法（従来方法）とを併用することによって、確実に閉塞状態を解消することができる。
【００２６】
第１５発明に係る空気調和機では、第２減圧器が運転条件によって閉塞したのか、或は、異常によって閉塞したのかを判定することができるので、異常時の処理を適時に実行することが可能になる。
【発明を実施するための最良の形態】
【００２７】
以下図面を参照しながら、本発明の実施形態について説明する。なお、以下の実施形態は、本発明の具体例であって、本発明の技術的範囲を限定するものではない。
【００２８】
＜空気調和機の構成＞
図１は、本発明の一実施形態に係る空気調和機の構成図である。図１において、空気調和機１は、室外ユニット２と室内ユニット３とを備えている。なお、室内ユニット３は複数台であってもよい。
【００２９】
この空気調和機１は、冷媒が充填された冷媒回路１０を備えている。冷媒回路１０は、室外ユニット２に収容された室外側回路と、室内ユニット３に収容された室内側回路とを備えている。室外側回路と室内側回路とは、ガス側連絡配管１７ａ及び液側連絡配管１７ｂによって接続されている。
【００３０】
＜室外ユニットの構成＞
室外ユニット２における室外側回路には、圧縮機１１、四路切換弁１２、室外熱交換器１３、及び膨張弁１４が接続されている。室外側回路の一端には、液側連絡配管１７ｂが接続される液側閉鎖弁１９が設けられている。室外側回路の他端には、ガス側連絡配管１７ａが接続されるガス側閉鎖弁１８が設けられている。
【００３１】
圧縮機１１の吐出側は、四路切換弁１２の第１ポートＰ１に接続されている。圧縮機１１の吸入側は、アキュムレータ２０を挟んで四路切換弁１２の第３ポートＰ３に接続されている。アキュムレータ２０は、液冷媒とガス冷媒とを分離する。
【００３２】
室外熱交換器１３は、クロスフィン式のフィン・アンド・チューブ型熱交換器である。この室外熱交換器１３の近傍には、室外空気を送るための室外ファン２３が設けられている。室外熱交換器１３の一端側は、四路切換弁１２の第４ポートＰ４に接続されている。室外熱交換器１３の他端側は、減圧手段である膨張弁１４に接続されている。
【００３３】
膨張弁１４は、開度可変の電子膨張弁であり、液側閉鎖弁１９に接続されている。また、四路切換弁１２の第２ポートＰ２はガス側閉鎖弁１８に接続されている。
【００３４】
四路切換弁１２は、第１ポートＰ１と第４ポートＰ４が互いに連通して第２ポートＰ２と第３ポートＰ３が互いに連通する第１状態（図１の実線で示す状態）と、第１ポートＰ１と第２ポートＰ２が互いに連通して第３ポートＰ３と第４ポートＰ４が互いに連通する第２状態（図１の点線で示す状態）とが切り換え可能となっている。
【００３５】
＜室内ユニットの構成＞
室内側回路には、第１室内熱交換器１５、第２膨張弁１６及び第２室内熱交換器１７が設けられている。第１室内熱交換器１５及び第２室内熱交換器１７は、クロスフィン式のフィン・アンド・チューブ型熱交換器である。この第１室内熱交換器１５及び第２室内熱交換器１７の近傍には、第１室内熱交換器１５及び第２室内熱交換器１７に室内空気を送るための室内ファン３３が設けられている。第２膨張弁１６は電磁弁であり、第１室内熱交換器１５と第２室内熱交換器１７との間に配置されている。
【００３６】
＜各種センサ＞
空気調和機１には、サーミスタから成る室外温度センサ１０２、室内温度センサ１０３、吐出管温度センサ１１１、室外熱交換器温度センサ１１３、及び室内熱交換器温度センサ１１７が設けられている。室外温度センサ１０２は、室外ユニット２の周囲温度を検知する。室内温度センサ１０３は、室内温度を検知する。
【００３７】
吐出管温度センサ１１１は、圧縮機１１の吐出配管に取付けられ冷媒の吐出温度を検知する。室外熱交換器温度センサ１１３は、室外熱交換器１３に取付けられ、室外熱交換器１３の所定領域を流れる冷媒の温度を検知する。室内熱交換器温度センサ１１７は、第２室内熱交換器１７に取付けられ、第２室内熱交換器１７の所定領域を流れる冷媒の温度を検知する。
【００３８】
そして、これらの温度センサの測定値に基づき、制御部４が空気調和機１を運転制御する。なお、空気調和機１には、圧縮機１１に入力される電力を測定するために、電力センサ１１９が設けられており、制御部４が、適時、電力センサ１１９を介して圧縮機１１の電力を測定する。
【００３９】
＜空気調和機の動作＞
空気調和機１では、四路切換弁１２によって、冷房運転および暖房運転のいずれか一方に切り換えることが可能である。
【００４０】
（冷房運転）
冷房運転では、四路切換弁１２が第１状態（図１の実線）に設定され、第２膨張弁１６は全開状態に設定される。この状態で圧縮機１１を運転すると、冷媒回路１０では室外熱交換器１３が凝縮器となり、第１室内熱交換器１５及び第２室内熱交換器１７が蒸発器となる蒸気圧縮冷凍サイクルが行われる。
【００４１】
圧縮機１１から吐出された高圧の冷媒は、室外熱交換器１３で室外空気と熱交換して凝縮する。室外熱交換器１３を通過した冷媒は、膨張弁１４を通過する際に減圧され、その後に第１室内熱交換器１５及び第２室内熱交換器１７で室内空気と熱交換して蒸発する。第１室内熱交換器１５及び第２室内熱交換器１７を通過した冷媒は、圧縮機１１へ吸入されて圧縮される。
【００４２】
（暖房運転）
暖房運転では、四路切換弁１２が第２状態（図１の点線）に設定され、第２膨張弁１６は全開状態に設定される。そして、この状態で圧縮機１１を運転すると、冷媒回路１０では、室外熱交換器１３が蒸発器となり、第１室内熱交換器１５及び第２室内熱交換器１７が凝縮器となる蒸気圧縮冷凍サイクルが行われる。
【００４３】
圧縮機１１から吐出された高圧の冷媒は、第１室内熱交換器１５及び第２室内熱交換器１７で室内空気と熱交換して凝縮する。凝縮した冷媒は、膨張弁１４を通過する際に減圧された後、室外熱交換器１３で室外空気と熱交換して蒸発する。室外熱交換器１３を通過した冷媒は、圧縮機１１へ吸入されて圧縮される。
【００４４】
（除湿運転）
除湿運転では、四路切換弁１２が第１状態（図１の実線）に設定され、膨張弁１４が全開状態に設定され、第２膨張弁１６が所定の開度まで絞られる。この状態で圧縮機１１を運転すると、冷媒回路１０では室外熱交換器１３と第１室内熱交換器１５とが凝縮器となり、第２室内熱交換器１７が蒸発器となる蒸気圧縮冷凍サイクルが行われる。
【００４５】
圧縮機１１から吐出された高圧の冷媒は、室外熱交換器１３で室外空気と熱交換して凝縮し、室外熱交換器１３で凝縮しきれなかった冷媒が第１室内熱交換器１５で凝縮する。第１室内熱交換器１５を通過した冷媒は、第２膨張弁１６を通過する際に減圧され、その後に第２室内熱交換器１７で室内空気と熱交換して蒸発する。第２室内熱交換器１７を通過した冷媒は、圧縮機１１へ吸入されて圧縮される。
【００４６】
通常の冷房運転による除湿では室内温度が低下するが、上記除湿運転によれば第１室内熱交換器１５で暖められた空気を第２室内熱交換器１７で除湿するので、室内温度が低下することが抑制される。
【００４７】
＜第２膨張弁の閉塞状態検知制御プログラムおよび閉塞状態脱却制御プログラム＞
背景技術で説明したように、除湿運転時、第２膨張弁１６が閉塞状態になった場合、除湿運転が正常に行われないので、本実施形態の制御部４は、第２膨張弁１６の閉塞状態を検知して第２膨張弁１６を閉塞状態から脱却させる制御を行っている。閉塞状態検知制御プログラムは、閉塞状態脱却制御プログラムの途中に含まれているので、先ず、閉塞状態脱却制御プログラムから説明する。
【００４８】
（閉塞状態脱却制御）
図２は、第２膨張弁の閉塞状態脱却制御プログラムのフローチャートである。図２において、ステップＳ２０１で、制御部４は、現在の運転モードが除湿運転であるか否かを判定し、ｎｏならば引き続き運転モードが除湿運転であるか否かを監視し、ｙｅｓならばステップＳ２０２へ進む。
【００４９】
ステップＳ２０２で、制御部４は、閉塞状態検知制御プログラムによって第２膨張弁１６の閉塞状態を検知する。ステップＳ２０３で、制御部４は、第２膨張弁１６が閉塞しているか否かを判定し、ｎｏならばステップＳ２０１へ戻り、ｙｅｓならばステップＳ２０４へ進む。
【００５０】
ステップＳ２０４で、制御部４は、第２膨張弁１６の閉塞回避運転を行う。閉塞回避運転とは、ガス冷媒の増加を抑制するために室外ファン２３の風量を低くして所定時間運転することである。
【００５１】
ステップＳ２０５で、制御部４は、閉塞回避運転開始後の経過時間ｔ１の計測を開始する。ステップＳ２０６で、制御部４は、経過時間ｔ１がｔｃｈｏｋｅ１に達したか否かを判定し、ｎｏならばステップＳ２１２へ進み、ｙｅｓならばステップＳ２０７へ進み、圧縮機１１を停止する。
【００５２】
ステップＳ２０８で、制御部４は、室外温度センサ１０２及び室内温度センサ１０３を介して外気温Ｔｏ及び室温Ｔｉを測定し、外気温Ｔｏ、室温Ｔｉ、及び室外ファン２３の風量から第２膨張弁１６が閉塞しやすい条件か否かを判定する。
【００５３】
図３は、室温、外気温、及び室外ファンの関係を示すグラフである。図３において、室外ファン２３の風量が増すほど、第２膨張弁１６が閉塞しやすくなる室温及び外気温の範囲が広がることが分かる。つまり、制御部４は、外気温Ｔｏと室温Ｔｉとから求まるポイントが室外ファン２３の風量から求まる閉塞エリアの外側ならば閉塞し易い条件でない（ｎｏ）と判定し、閉塞エリアの内側ならば閉塞し易い条件である（ｙｅｓ）と判定する。そして、ステップＳ２０８でｎｏならばステップＳ２１４へ進み、ステップＳ２０８でｙｅｓならばステップＳ２０９へ進む。
【００５４】
ステップＳ２０９で、制御部４は、第２膨張弁１６が閉塞しやすい条件にあると判定した後の経過時間ｔ２の計測を開始する。ステップＳ２１０で、制御部４は、経過時間ｔ２がｔｃｈｏｋｅ２に達したか否かを判定し、ｎｏならば引き続き経過時間ｔ２がｔｃｈｏｋｅ２に達したか否かを監視し、ｙｅｓならばステップＳ２１１へ進む。ステップＳ２１１で、制御部４は、圧縮機１１を起動させ、ステップＳ２０１へ戻る。
【００５５】
次に、制御部４がステップＳ２０６でｎｏと判定しステップＳ２１２へ進んだ場合について説明する。ステップＳ２１２で閉塞状態検知制御プログラムによって第２膨張弁１６の閉塞状態を検知する。ステップＳ２１３で、制御部４は、第２膨張弁１６が閉塞しているか否かを判定し、ｎｏならばステップＳ２０１へ戻り、ｙｅｓならばステップＳ２０６に戻る。
【００５６】
次に、制御部４がステップＳ２０８でｎｏと判定しステップＳ２１４へ進んだ場合について説明する。ステップＳ２１４で、制御部４は、圧縮機１１の停止回数Ｎを１つ増加させ、ステップＳ２１５に進む。ステップＳ２１５で、制御部４は、圧縮機１１の停止回数Ｎが所定回数Ｎｋａｉに達したか否かを判定し、ｎｏならばステップＳ２０９へ飛び、ｙｅｓならばステップＳ２１６へ進む。ステップＳ２１６では、第２膨張弁１６の異常として予め設定されている異常処理を実行し、プログラムを終了する。
【００５７】
（閉塞状態検知制御プログラム）
次に、閉塞状態検知制御プログラムについて説明する。図４は、第２膨張弁の閉塞状態検知制御プログラムのフローチャートである。図４において、ステップＳ１で、制御部４は、吐出管温度センサ１１１を介して吐出温度Ｔｄを測定する。ステップＳ２で、制御部４は、室外熱交換器温度センサ１１３を介して凝縮温度Ｔｃを測定する。ステップＳ３で、制御部４は、吐出温度Ｔｄと凝縮温度Ｔｃとの差が所定値ａ以上であるか否かを判定する。
【００５８】
制御部４は、ステップＳ３でｙｅｓと判定した場合、ステップＳ４へ進みメモリに第２膨張弁１６が閉塞していると記憶し、閉塞状態脱却制御のステップ２０３へ進む。制御部４は、ステップＳ３でｎｏと判定した場合、ステップＳ５へ進みメモリに第２膨張弁１６が閉塞していないと記憶し、閉塞状態脱却制御のステップ２０３へ進む。
【００５９】
＜特徴＞
（１）
以上のように、制御部４は、除湿運転制御中に、吐出温度Ｔｄと凝縮温度Ｔｃとの差が所定値ａ以上となったとき、第２膨張弁１６が閉塞していると判定するので、第２膨張弁１６の閉塞状態の検出精度が増す。また、制御部４は、吐出管温度Ｔｄと凝縮温度Ｔｃとの差が所定値ａ未満になるまで、室外ファン２３の送風量を下げるので、運転停止することなく第２膨張弁１６の閉塞状態を解消することができる。
【００６０】
（２）
また、制御部４は、室外ファン２３の送風量を下げてから所定時間ｔｃｈｏｋｅ１が経過したとき、吐出管温度Ｔｄと凝縮温度Ｔｃとの差が所定値ａ未満でない場合は圧縮機１１を停止させ、圧縮機１１が停止してから所定時間ｔｃｈｏｋｅ２が経過したとき圧縮機１１を再起動させるので、送風量低減及び圧縮機停止によって、確実に第２膨張弁１６の閉塞状態が解消される。
【００６１】
＜変形例＞
上記実施形態では、吐出温度Ｔｄと凝縮温度Ｔｃとの差が所定値ａ以上となったとき、第２膨張弁１６が閉塞していると判定しているが、それに限定されるものではない。以下、他の閉塞状態検知制御プログラムを変形例として説明する。
【００６２】
（第１変形例）
図５は、第１変形例に係る閉塞状態検知制御プログラムのフローチャートである。図５において、ステップＳ１１で、制御部４は、吐出管温度センサ１１１を介して吐出温度Ｔｄを測定する。ステップＳ１２で、制御部４は、室外熱交換器温度センサ１１３を介して凝縮温度Ｔｃを測定する。ステップＳ１３で、制御部４は、除湿運転開始時の吐出温度Ｔｄと凝縮温度Ｔｃとの差に対して、吐出温度Ｔｄと凝縮温度Ｔｃとの差の変化割合が所定値ｂ以上であるか否かを判定する。
【００６３】
制御部４は、ステップＳ１３でｙｅｓと判定した場合、ステップＳ１４へ進みメモリに第２膨張弁１６が閉塞していると記憶し、閉塞状態脱却制御のステップ２０３へ進む。制御部４は、ステップＳ１３でｎｏと判定した場合、ステップＳ１５へ進みメモリに第２膨張弁１６が閉塞していないと記憶し、閉塞状態脱却制御のステップ２０３へ進む。
【００６４】
（第２変形例）
図６は、第２変形例に係る閉塞状態検知制御プログラムのフローチャートである。図６において、ステップＳ２１で、制御部４は、室外ファン２３の回転数が上昇したか否かを判定し、ｎｏならば引き続き室外ファン２３の回転数が上昇したか否かを監視し、ｙｅｓならばステップＳ２２へ進む。ステップＳ２２で、制御部４は、吐出管温度センサ１１１を介して吐出温度Ｔｄを測定する。ステップＳ２３で、制御部４は、室外熱交換器温度センサ１１３を介して凝縮温度Ｔｃを測定する。ステップＳ２４で、制御部４は、除湿運転開始時の吐出温度Ｔｄと凝縮温度Ｔｃとの差に対して、吐出温度Ｔｄと凝縮温度Ｔｃとの差の変化割合が所定値ｂ以上であるか否かを判定する。
【００６５】
制御部４は、ステップＳ２４でｙｅｓと判定した場合、ステップＳ２５へ進みメモリに第２膨張弁１６が閉塞していると記憶し、閉塞状態脱却制御のステップ２０３へ進む。制御部４は、ステップＳ２４でｎｏと判定した場合、ステップＳ２６へ進みメモリに第２膨張弁１６が閉塞していないと記憶し、閉塞状態脱却制御のステップ２０３へ進む。
【００６６】
（第３変形例）
図７は、第３変形例に係る閉塞状態検知制御プログラムのフローチャートである。図７において、ステップＳ３１で、制御部４は、吐出管温度センサ１１１を介して吐出温度Ｔｄを測定する。ステップＳ３２で、制御部４は、除湿運転開始時の吐出温度Ｔｄに対して、吐出温度Ｔｄの変化割合が所定値ｃ以上であるか否かを判定する。
【００６７】
制御部４は、ステップＳ３２でｙｅｓと判定した場合、ステップＳ３３へ進みメモリに第２膨張弁１６が閉塞していると記憶し、閉塞状態脱却制御のステップ２０３へ進む。制御部４は、ステップＳ３２でｎｏと判定した場合、ステップＳ３４へ進みメモリに第２膨張弁１６が閉塞していないと記憶し、閉塞状態脱却制御のステップ２０３へ進む。
【００６８】
（第４変形例）
図８は、第４変形例に係る閉塞状態検知制御プログラムのフローチャートである。図８において、ステップＳ４１で、制御部４は、室外ファン２３の回転数が上昇したか否かを判定し、ｎｏならば引き続き室外ファン２３の回転数が上昇したか否かを監視し、ｙｅｓならばステップＳ４２へ進む。ステップＳ４２で、制御部４は、吐出管温度センサ１１１を介して吐出温度Ｔｄを測定する。ステップＳ４３で、制御部４は、吐出温度Ｔｄの変化割合が所定値ｃ以上であるか否かを判定する。
【００６９】
制御部４は、ステップＳ４３でｙｅｓと判定した場合、ステップＳ４４へ進みメモリに第２膨張弁１６が閉塞していると記憶し、閉塞状態脱却制御のステップ２０３へ進む。制御部４は、ステップＳ４３でｎｏと判定した場合、ステップＳ４５へ進みメモリに第２膨張弁１６が閉塞していないと記憶し、閉塞状態脱却制御のステップ２０３へ進む。
【００７０】
（第５変形例）
上記実施形態、又は、第１変形例から第４変形例のいずれか１に係る閉塞状態検知制御プログラムの前に次のステップを追加してもよい。図９は、第５変形例に係る閉塞状態検知制御プログラムのフローチャートである。図９において、ステップＳ５１で、制御部４は、室内温度センサ１０３を介して室内温度Ｔｉを測定する。ステップＳ５２で、室内熱交換器温度センサ１１７を介して蒸発温度Ｔｅを測定する。ステップＳ５３で、室内温度Ｔｉと蒸発温度Ｔｅとの差が所定値ｄ以下であるか否かを判定し、ｎｏならばステップＳ５１に戻って引き続き室内温度Ｔｉと蒸発温度Ｔｅとの差が所定値ｄ以下であるか否かを監視し、ｙｅｓならば上記実施形態、又は、第１変形例から第４変形例のいずれか１に係る閉塞状態検知制御プログラムへ進む。なお、図９のＡの領域は、上記実施形態、又は、第１変形例から第４変形例のいずれか１に係る閉塞状態検知制御プログラムであればよい。
【００７１】
（第６変形例）
上記実施形態、又は、第１変形例から第４変形例のいずれか１に係る閉塞状態検知制御プログラムの前に次のステップを追加してもよい。図１０は、第６変形例に係る閉塞状態検知制御プログラムのフローチャートである。図１０において、ステップＳ６１で、制御部４は、室外温度センサ１０２を介して室外温度Ｔｏを測定する。ステップＳ６２で、制御部４は、室外熱交換器温度センサ１１３を介して凝縮温度Ｔｃを測定する。ステップＳ６３で、凝縮温度Ｔｃと室外温度Ｔｏとの差が所定値ｅ以下であるか否かを判定し、ｎｏならばステップＳ６１に戻って引き続き凝縮温度Ｔｃと室外温度Ｔｏとの差が所定値ｅ以下であるか否かを監視し、ｙｅｓならば上記実施形態、又は、第１変形例から第４変形例のいずれか１に係る閉塞状態検知制御プログラムへ進む。なお、図１０のＢの領域は、上記実施形態、又は、第１変形例から第４変形例のいずれか１に係る閉塞状態検知制御プログラムであればよい。
【００７２】
（第７変形例）
上記実施形態、又は、第１変形例から第４変形例のいずれか１に係る閉塞状態検知制御プログラムの前に次のステップを追加してもよい。図１１は、第７変形例に係る閉塞状態検知制御プログラムのフローチャートである。図１１において、ステップＳ７１で、制御部４は、電力センサ１１９を介して圧縮機１１への入力値Ｌを測定する。ステップＳ７２で、入力値Ｌが所定値Ｌｆ以下であるか否かを判定し、ｎｏならばステップＳ７１に戻って引き続き入力値Ｌが所定値Ｌｆ以下であるか否かを監視し、ｙｅｓならば上記実施形態、又は、第１変形例から第４変形例のいずれか１に係る閉塞状態検知制御プログラムへ進む。なお、図１１のＣの領域は、上記実施形態、又は、第１変形例から第４変形例のいずれか１に係る閉塞状態検知制御プログラムであればよい。
【００７３】
（第８変形例）
第５変形例に係る閉塞状態検知制御プログラムの前に次のステップを追加してもよい。図１２は、第８変形例に係る閉塞状態検知制御プログラムのフローチャートである。図１２において、ステップＳ８１で、制御部４は、室外温度センサ１０２を介して室外温度Ｔｏを測定する。ステップＳ８２で、制御部４は、室外熱交換器温度センサ１１３を介して凝縮温度Ｔｃを測定する。ステップＳ８３で、凝縮温度Ｔｃと室外温度Ｔｏとの差が所定値ｅ以下であるか否かを判定し、ｎｏならばステップＳ８１に戻って引き続き凝縮温度Ｔｃと室外温度Ｔｏとの差が所定値ｅ以下であるか否かを監視し、ｙｅｓならば、第５変形例に係る閉塞状態検知制御プログラムへ進む。なお、図１２のＤの領域は、第５変形例に係る閉塞状態検知制御プログラムである。
【００７４】
（第９変形例）
第５変形例に係る閉塞状態検知制御プログラムの前に次のステップを追加してもよい。図１３は、第９変形例に係る閉塞状態検知制御プログラムのフローチャートである。図１３において、ステップＳ９１で、制御部４は、電力センサ１１９を介して圧縮機１１への入力値Ｌを測定する。ステップＳ９２で、入力値Ｌが所定値Ｌｆ以下であるか否かを判定し、ｎｏならばステップＳ９１に戻って引き続き入力値Ｌが所定値Ｌｆ以下であるか否かを監視し、ｙｅｓならば第５変形例に係る閉塞状態検知制御プログラムへ進む。なお、図１３のＤの領域は、第５変形例に係る閉塞状態検知制御プログラムである。
【００７５】
（第１０変形例）
第６変形例に係る閉塞状態検知制御プログラムの前に次のステップを追加してもよい。図１４は、第１０変形例に係る閉塞状態検知制御プログラムのフローチャートである。図１４において、ステップＳ１０１で、制御部４は、電力センサ１１９を介して圧縮機１１への入力値Ｌを測定する。ステップＳ１０２で、入力値Ｌが所定値Ｌｆ以下であるか否かを判定し、ｎｏならばステップＳ１０１に戻って引き続き入力値Ｌが所定値Ｌｆ以下であるか否かを監視し、ｙｅｓならば第６変形例に係る閉塞状態検知制御プログラムへ進む。なお、図１４のＥの領域は、第６変形例に係る閉塞状態検知制御プログラムである。
【００７６】
（第１１変形例）
第８変形例に係る閉塞状態検知制御プログラムの前に次のステップを追加してもよい。図１５は、第１１変形例に係る閉塞状態検知制御プログラムのフローチャートである。図１５において、ステップＳ１１１で、制御部４は、電力センサ１１９を介して圧縮機１１への入力値Ｌを測定する。ステップＳ１１２で、入力値Ｌが所定値Ｌｆ以下であるか否かを判定し、ｎｏならばステップＳ１１１に戻って引き続き入力値Ｌが所定値Ｌｆ以下であるか否かを監視し、ｙｅｓならば第８変形例に係る閉塞状態検知制御プログラムへ進む。なお、図１５のＦの領域は、第８変形例に係る閉塞状態検知制御プログラムである。
【産業上の利用可能性】
【００７７】
以上のように、本発明は、空気調和機に有用である。
【図面の簡単な説明】
【００７８】
【図１】本発明の一実施形態に係る空気調和機の構成図。
【図２】第２膨張弁の閉塞状態脱却制御プログラムのフローチャート。
【図３】室温、外気温、及び室外ファンの関係を示すグラフ。
【図４】第２膨張弁の閉塞状態検知制御プログラムのフローチャート。
【図５】第１変形例に係る閉塞状態検知制御プログラムのフローチャート。
【図６】第２変形例に係る閉塞状態検知制御プログラムのフローチャート。
【図７】第３変形例に係る閉塞状態検知制御プログラムのフローチャート。
【図８】第４変形例に係る閉塞状態検知制御プログラムのフローチャート。
【図９】第５変形例に係る閉塞状態検知制御プログラムのフローチャート。
【図１０】第６変形例に係る閉塞状態検知制御プログラムのフローチャート。
【図１１】第７変形例に係る閉塞状態検知制御プログラムのフローチャート。
【図１２】第８変形例に係る閉塞状態検知制御プログラムのフローチャート。
【図１３】第９変形例に係る閉塞状態検知制御プログラムのフローチャート。
【図１４】第１０変形例に係る閉塞状態検知制御プログラムのフローチャート。
【図１５】第１１変形例に係る閉塞状態検知制御プログラムのフローチャート。
【符号の説明】
【００７９】
１  空気調和機
４  制御部
１１  圧縮機
１３  室外熱交換器
１４  膨張弁（第１減圧器）
１５  第１室内熱交換器
１６  第２膨張弁（第２減圧器）
１７  第２室内熱交換器
２３  室外ファン
１０２  室外温度センサ
１０３  室内温度センサ
１１１  吐出管温度センサ
１１３  室外熱交換器温度センサ
１１７  室内熱交換器温度センサ
【図１】
2010091127.tif 000003
【図２】
2010091127.tif 000004
【図３】
2010091127.tif 000005
【図４】
2010091127.tif 000006
【図５】
2010091127.tif 000007
【図６】
2010091127.tif 000008
【図７】
2010091127.tif 000009
【図８】
2010091127.tif 000010
【図９】
2010091127.tif 000011
【図１０】
2010091127.tif 000012
【図１１】
2010091127.tif 000013
【図１２】
2010091127.tif 000014
【図１３】
2010091127.tif 000015
【図１４】
2010091127.tif 000016
【図１５】
2010091127.tif 000017